(57)【要約】【課題】輸送時における筐体の強度を安価に向上できる空気調和装置の梱包装置を提供すること。【解決手段】筐体１２の底板１３上に配置されて該筐体１２の背面及び両側面を形成する室外熱交換器１８と、底板１３の前面側の両隅部に立設された一対の支柱１４，１４と、これら支柱１４，１４間に配置されて該支柱１４にねじ止めされる複数の前面パネルとを備えた室外ユニット１１の梱包装置１００であって、支柱１４と各前面パネル１９Ａ〜１９Ｃとの隙間、及び、隣接する前面パネル１９Ａ〜１９Ｂ、前面パネル１９Ｂ〜１９Ｃ間の隙間に沿って貼着され、支柱１４と各前面パネル１９Ａ〜１９Ｃ、及び、前面パネル１９Ａ〜１９Ｂ、前面パネル１９Ｂ〜１９Ｃ同士を連結するテープ状部材１０４、１０５を備えた。【選択図】図１
2014234177.tif 000002
【特許請求の範囲】
【請求項１】
筐体のベース板上に配置されて該筐体の背面及び両側面を形成する室外熱交換器と、前記ベース板の前面側の両隅部に立設された一対の支柱と、これら支柱間に配置されて該支柱にねじ止めされる複数の前面パネルとを備えた空気調和装置の梱包装置であって、
前記支柱と前記前面パネルとの隙間、及び、前記前面パネル間の隙間に沿って貼着され、前記支柱と前記前面パネル、及び、前記前面パネル同士を連結するテープ状部材を備えたことを特徴とする空気調和装置の梱包装置。
【請求項２】
前記テープ状部材は、前記前面パネルを固定するねじを覆って貼着されることを特徴とする請求項１に記載の空気調和装置の梱包装置。
【請求項３】
前記テープ状部材は、上下に配置された前記前面パネルの隙間に沿って貼着される第１テープ状部材と、前記支柱と前記前面パネルとの隙間に沿って貼着される第２テープ状部材とを備え、前記第１テープ状部材の端部と前記第２テープ状部材とが重ねて貼着されることを特徴とする請求項１または２に記載の空気調和装置の梱包装置。
【発明の詳細な説明】
【技術分野】
【０００１】
本発明は、ベース板の前面側の両隅部に立設された一対の支柱間に取り付けられる前面パネルを備えた空気調和装置の梱包装置に関する。
【背景技術】
【０００２】
従来、筐体のベース板上に配置されて該筐体の背面及び両側面を形成する室外熱交換器と、前記ベース板の前面側の両隅部に立設された一対の支柱と、これら支柱間に配置されて該支柱にねじ止めされる複数の前面パネルとを備えた空気調和装置の室外ユニットが知られている（例えば、特許文献１参照）。この種の室外ユニットは、出荷輸送時における損傷を防止するために、室外ユニットの底面及び天面に配置される外装体を備えた梱包装置によって梱包される。
【先行技術文献】
【特許文献】
【０００３】
【特許文献１】特開２０１１−１５８１４９号公報
【発明の概要】
【発明が解決しようとする課題】
【０００４】
ところで、この種の室外ユニットでは、輸送時に要求される筐体の強度は、設置後の運転時に要求される筐体の強度に比べて高いのが一般的である。すなわち、設置後の運転時には、筐体の支柱及びパネルは、耐風、耐地震等の外部入力に対して破壊等の問題が生じない強度を確保すれば十分である。これに対し、輸送時には振動によって筐体に荷重がかかるため、支柱にパネルを固定するねじに緩みや脱落が生じやすく、支柱とパネルとが振動により擦れ、塗装剥がれが生じる問題があった。
従来の室外ユニットでは、輸送時の問題を解消するために、支柱にパネルを固定するねじを増やす等して筐体の強度を高めていたため、室外ユニットの筺体の強度は、設置後には過剰となり、その分コストが増大するといった問題があった。
本発明は、上述した事情に鑑みてなされたものであり、輸送時における筐体の強度を安価に向上できる空気調和装置の梱包装置を提供することを目的とする。
【課題を解決するための手段】
【０００５】
上記目的を達成するため、本発明は、筐体のベース板上に配置されて該筐体の背面及び両側面を形成する室外熱交換器と、前記ベース板の前面側の両隅部に立設された一対の支柱と、これら支柱間に配置されて該支柱にねじ止めされる複数の前面パネルとを備えた空気調和装置の梱包装置であって、前記支柱と前記前面パネルとの隙間、及び、前記前面パネル間の隙間に沿って貼着され、前記支柱と前記前面パネル、及び、前記前面パネル同士を連結するテープ状部材を備えたことを特徴とする。
【０００６】
この構成において、前記テープ状部材は、前記前面パネルを固定するねじを覆って貼着されても良い。また、前記テープ状部材は、上下に配置された前記前面パネルの隙間に沿って貼着される第１テープ状部材と、前記支柱と前記前面パネルとの隙間に沿って貼着される第２テープ状部材とを備え、前記第１テープ状部材の端部と前記第２テープ状部材とが重ねて貼着されても良い。
【発明の効果】
【０００７】
本発明によれば、梱包装置が支柱と前面パネルとの隙間、及び、前面パネル間の隙間に沿って貼着され、支柱と前面パネル、及び、前面パネル同士を連結するテープ状部材を備えたため、このテープ状部材により支柱と前面パネル、前面パネル同士の連結強度を高めることができ、輸送時における筐体の強度を向上させることができる。また、空気調和装置の設置後には、テープ状部材を剥がせばよいので、輸送時に合わせて筐体の強度を高める必要がなく、輸送時における筐体の強度の向上を安価に実現することができる。
【図面の簡単な説明】
【０００８】
【図１】本実施形態に係る空気調和装置の梱包装置を示す斜視図である。
【図２】空気調和装置の室外ユニットを示す斜視図である。
【図３】室外ユニットの内部構成を示す斜視図である。
【図４】支柱と前面パネルとの配置関係を示す分解斜視図である。
【図５】支柱に前面パネルを固定した状態を示す斜視図である。
【発明を実施するための形態】
【０００９】
以下、本発明の実施の形態について図を参照しながら以下に説明する。
図１は、本実施の形態に係る空気調和装置の梱包装置を示す斜視図である。以下に述べる前後、左右及び上下といった方向は、室外ユニット１１を設置した状態でその前面側から見た場合の方向を示している。
梱包装置１００は、被梱包体として、空気調和装置１０の室外ユニット１１を梱包するものであり、室外ユニット１１の底部に配置されるパレット１０１と、室外ユニット１１の天部を覆う箱型外装体１０２とを備え、この箱型外装体１０２は２本のバンド１０３，１０３により室外ユニット１１に結束されている。また、梱包装置１００は、室外ユニット１１の前面を構成する部材（後述する前面パネル、支柱）間に跨って貼着されるテープ状部材１０４，１０５を備える。また、図示は省略したが、梱包する際に室外ユニット１１はポリエチレン袋に入れられ、塵埃等の付着を防止している。
【００１０】
パレット１０１は、室外ユニット１１をフォークリフト等によって搬送するために、該室外ユニット１１が固定して載置されるものであり、木製の平板及びブロックとを組み付けて形成されている。箱型外装体１０２は、室外ユニット１１の天面及びこれに隣接する前面、背面及び両側面の上部を保護するものであり、段ボール紙を折り曲げる等してトレー状に形成されている。
また、本実施形態では、室外ユニット１１は、梱包された際に、該室外ユニット１１の前面に取扱説明書等の書類一式１０８がポリエチレン袋（図示略）に入れられた状態で、テープ状部材１０６により貼着される。
【００１１】
図２は、空気調和装置１０の室外ユニット１１を示す斜視図である。
空気調和装置１０は、室外ユニット１１と、複数の室内機（不図示）とを備え、これら室外ユニット１１と室内機とは、ガス管及び液管（不図示）により接続されている。ガス管は上記室内機の室内熱交換器（不図示）の一端に接続され、液管は上記室内熱交換器の他端に接続される。
【００１２】
室外ユニット１１は、図２に示すように、側面及び背面に配置された室外熱交換器１８を通して内部に外気を取り込んで上方に空気を吹き出す上吹き出し型の室外ユニットであり、上下方向に長い箱型の筐体１２を有している。筐体１２は、略矩形の底板（ベース板）１３と、底板１３の４つの隅部にそれぞれ立設される支柱１４と、支柱１４の上端に設けられて筐体１２の上面を塞ぐ天板１５とを有している。
筐体１２の上部には、送風機１６が設けられており、送風機１６は、天板１５に設けられた吹出口１５ａから上方に空気を吹き出す。送風機１６の左右の側面及び後面は、複数の側面板１７により塞がれる。
【００１３】
室外熱交換器１８は、底板１３の左右の側縁及び後縁に沿う略コ字状に形成されており、底板１３から室外ユニット１１の上部まで延び、側面板１７の下方において筐体１２の左右の側面及び背面を構成している。
筐体１２の前面は、着脱可能な前面パネル１９によって塞がれる。本実施形態では前面パネル１９は、上下方向に３つに分割された上段前面パネル１９Ａ、中段前面パネル１９Ｂ及び下段前面パネル１９Ｃを備え、これら各前面パネル１９Ａ〜１９Ｃは、底板１３の前面側に位置する支柱１４，１４間に配置され、該支柱１４にねじ止めされている。
また、筐体１２内の前面側の上部には、空気調和装置１０の動作を制御する制御部が収納される電装箱（不図示）が設けられている。
【００１４】
図３は、室外ユニット１１の内部構成を示す斜視図である。
筐体１２の内部には、能力一定型の定速圧縮機２１、能力可変型のインバーター型圧縮機２２、アキュムレータ２３、オイルセパレータ（不図示）、四方弁２５、及び、これらを繋ぐ冷媒配管等が配置されている。
【００１５】
定速圧縮機２１、インバーター型圧縮機２２、オイルセパレータ及びアキュムレータ２３は、それぞれ円筒形のタンク状に形成されており、筐体１２の底板１３上に立設されて固定されている。本実施形態では、定速圧縮機２１とインバーター型圧縮機２２とは、底板１３の前面側に並べて配置され、インバーター型圧縮機２２の背後にオイルセパレータが配置されている。これら定速圧縮機２１、インバーター型圧縮機２２及びオイルセパレータは、底板１３上に配置されるケース体３０内に収容されている。
【００１６】
定速圧縮機２１とインバーター型圧縮機２２とは、並列に接続されている。定速圧縮機２１及びインバーター型圧縮機２２の吸込側には吸込管の一端が接続され、この吸込管の他端はアキュムレータ２３を経由して四方弁２５に接続されている。
定速圧縮機２１とインバーター型圧縮機２２の吐出側には吐出管２７の一端が接続され、この吐出管２７の他端はオイルセパレータを経由し、ケース体３０の天板部を貫通して四方弁２５に接続されている。
【００１７】
次に、筐体１２の一部を構成する支柱１４と前面パネル１９とについて説明する。
図４は、支柱１４と前面パネル１９との配置関係を示す分解斜視図である。
支柱１４は板金を折り曲げて柱状に形成され、左右の支柱１４，１４は相互に対称に形成されている。各支柱１４，１４は、下端部を底板１３にねじ止めすることにより該底板１３に立設されている。また、各支柱１４，１４は、互いに対向する縁部に、上端から下端に亘り、各前面パネル１９Ａ〜１９Ｃを受ける板受部１４Ａが設けられ、この板受部１４Ａにはねじ孔が形成されている。
【００１８】
また、各前面パネル１９Ａ〜１９Ｃは、板金の縁部を折り曲げて剛性を確保した形状となっており、上段前面パネル１９Ａ及び中段前面パネル１９Ｂは略同一の大きさに形成されている。
上段前面パネル１９Ａは、上下方向に延びる両側縁部１９Ａ１を内側に折り曲げて形成され、この曲げ部に沿ってねじ止め用の貫通孔４０が形成されている。また、中段前面パネル１９Ｂは、上段前面パネル１９Ａと同様に、上下方向に延びる両側縁部１９Ｂ１を内側に折り曲げて形成され、この曲げ部に沿ってねじ止め用の貫通孔４０が形成されている。
この貫通孔４０と支柱１４の板受部１４Ａのねじ孔とをねじ４５で固定することにより、上段前面パネル１９Ａ及び中段前面パネル１９Ｂが支柱１４に固定される。さらに、中段前面パネル１９Ｂは、幅方向に延びる上縁部１９Ｂ２を内側に折り曲げた後、その先端を中段前面パネル１９Ｂと略平行に段曲げしている。この段曲げした上縁部１９Ｂ２は、支柱１４，１４に取り付けた際に、上段前面パネル１９Ａの下縁部１９Ａ２の背面側に進入し、筐体１２内に雨水が入り込むことを防止している。
【００１９】
また、中段前面パネル１９Ｂには、下縁部１９Ｂ３に沿ってねじ止め用の貫通孔４０が形成され、この下縁部１９Ｂ３は、下段前面パネル１９Ｃの上縁部１９Ｃ１の表面に重ね合わされ、下段前面パネル１９Ｃと一体にねじ４５によって固定されている。
下段前面パネル１９Ｃは、上段前面パネル１９Ａ及び中段前面パネル１９Ｂに比べて小さく形成されており、ねじ４５によって支柱１４，１４に固定されている。また、下段前面パネル１９Ｃには、冷媒配管や電気配線を引き入れるためのノックアウトホールが形成されている。
【００２０】
ところで、輸送時に要求される筐体１２の強度は、室外ユニット１１を設置後に要求される筐体１２の強度に比べて高いのが一般的である。すなわち、設置後の運転時には、筐体１２の支柱１４及び前面パネル１９は、耐風、耐地震等の外部入力に対して破壊等の問題が生じない強度を確保すれば十分である。これに対し、輸送時には振動によって筐体１２に荷重がかかるため、支柱１４に前面パネル１９を固定するねじ４５に緩みや脱落が生じやすく、支柱１４と前面パネル１９とが振動により擦れ、合わせ面の塗装剥がれが生じる問題があった。このため、従来、輸送時の問題を解消するために、支柱１４に前面パネル１９を固定するねじを増やす等して筐体１２の強度を高める構成としていたが、室外ユニットの筺体の強度は、設置後には過剰となり、その分コストが増大するといった問題があった。
【００２１】
この問題を解決するために、本構成では、図５に示すように、梱包装置１００は、支柱１４と各前面パネル１９Ａ〜１９Ｃの側縁との隙間に沿って貼着され、該支柱１４と各前面パネル１９Ａ〜１９Ｃとを連結するテープ状部材（第２テープ状部材）１０４を備える。また、梱包装置１００は、上下に配置された上段前面パネル１９Ａと中段前面パネル１９Ｂ、及び、中段前面パネル１９Ｂと下段前面パネル１９Ｃの各隙間に沿って貼着され、上段前面パネル１９Ａと中段前面パネル１９Ｂ、及び、中段前面パネル１９Ｂと下段前面パネル１９Ｃをそれぞれ連結するテープ状部材（第１テープ状部材）１０５を備える。
【００２２】
具体的には、幅方向に並べて貼着される各第１テープ状部材１０５の両端部１０５Ａ，１０５Ａは、それぞれ、上下方向に並べて貼着される各第２テープ状部材１０４と重ねられ、全体として矩形状に貼着される。
この構成によれば、室外ユニット１１に輸送時の振動が加わったとしても、第１テープ状部材１０５，第２テープ状部材１０４により支柱１４と各前面パネル１９Ａ〜１９Ｃ、隣接する前面パネル１９Ａ〜１９Ｃ同士の連結強度を高めることができ、輸送時における筐体１２の強度を向上させることができる。
また、室外ユニット１１の設置後には、各テープ状部材１０４，１０５を剥がせばよいので、輸送時に見こした筐体１２の強度を高める必要がない。従って、支柱１４と各前面パネル１９Ａ〜１９Ｃとを固定するねじ４５を減らすことが可能となり、輸送時における筐体の強度向上を安価に実現することができる。
【００２３】
また、本実施形態では、各テープ状部材１０４，１０５は、各前面パネル１９Ａ〜１９Ｃを固定するねじ４５を覆って貼着されている。このため、テープ状部材１０４，１０５により、ねじ４５の緩み及び脱落が防止される。
このテープ状部材１０４，１０５としては、例えば、テサテープ株式会社製のストラッピングテープが用いられる。このテープは、幅５０ｍｍのポリプロピレン（ＰＰ）製であり、粘着力が４．０（Ｎ／１０ｍｍ）、引張強度が３００（Ｎ／１０ｍｍ）に設定されている。
例えば、室外ユニット１１の筐体幅を１１５０ｍｍとし、各テープ状部材１０４，１０５の貼着された全長を４０００ｍｍとすると、固定強度は４００×３００＝１２０ｋＮの荷重に耐えることが可能となる。
これに対して、上記筐体幅の室外ユニット１１では、中段前面パネル１９Ｂの重量は４．６ｋｇである。この場合、輸送時の想定最大衝撃加速度を２０Ｇ（＝１９６ｍ／ｓ2）としても、想定荷重は９００Ｎ程度であり、テープ状部材１０４，１０５によって筐体１２の変動を十分に抑えることができる。
【００２４】
以上、説明したように、本実施形態では、筐体１２の底板１３上に配置されて該筐体１２の背面及び両側面を形成する室外熱交換器１８と、底板１３の前面側の両隅部に立設された一対の支柱１４，１４と、これら支柱１４，１４間に配置されて該支柱１４にねじ止めされる複数の前面パネル１９Ａ〜１９Ｃとを備えた室外ユニット１１の梱包装置１００であって、支柱１４と各前面パネル１９Ａ〜１９Ｃとの隙間、及び、隣接する前面パネル１９Ａ〜１９Ｂ、前面パネル１９Ｂ〜１９Ｃ間の隙間に沿って貼着され、支柱１４と各前面パネル１９Ａ〜１９Ｃ、及び、前面パネル１９Ａ〜１９Ｂ、前面パネル１９Ｂ〜１９Ｃ同士を連結するテープ状部材１０４、１０５を備えた。このため、本実施形態によれば、テープ状部材１０４，１０５により支柱１４と各前面パネル１９Ａ〜１９Ｃ、隣接する前面パネル同士の連結強度を高めることができ、輸送時における筐体１２の強度を向上させることができる。また、室外ユニット１１の設置後には、テープ状部材１０４，１０５を剥がせばよいので、輸送時を見こして筐体１２の強度を高める必要がなく、輸送時における筐体１２の強度の向上を安価に実現することができる。
【００２５】
また、本実施形態によれば、テープ状部材１０４，１０５は、各前面パネル１９Ａ〜１９Ｃを固定するねじ４５を覆って貼着されるため、ねじ４５の緩み及び脱落が防止される。
また、本実施形態によれば、テープ状部材は、上下に配置された各前面パネル１９Ａ〜１９Ｂ，各前面パネル１９Ｂ〜１９Ｃの隙間に沿って貼着される第１テープ状部材１０５と、支柱１４と各前面パネル１９Ａ〜１９Ｃとの隙間に沿って貼着される第２テープ状部材１０４とを備え、幅方向に並べて貼着される各第１テープ状部材１０５の両端部１０５Ａ，１０５Ａは、それぞれ、上下方向に並べて貼着される各第２テープ状部材１０４と重ねられ、全体として矩形状に貼着される。この構成によれば、室外ユニット１１に輸送時の振動が加わったとしても、第１テープ状部材１０５，第２テープ状部材１０４により支柱１４と各前面パネル１９Ａ〜１９Ｃ、隣接する前面パネル１９Ａ〜１９Ｃ同士の連結強度を高めることができる。本実施形態では、第１テープ状部材１０５と第２テープ状部材１０４とを矩形状に貼着しているため、筐体１２に振動による荷重がかかったとしても、この荷重による筐体１２の歪みを抑えることができ、輸送時における筐体１２の強度を向上させることができる。
以上、本発明を実施するための形態について述べたが、本発明は既述の実施形態に限定されるものではなく、本発明の技術思想に基づいて各種の変形および変更が可能である。例えば、本実施形態では、前面パネル１９は上下方向に３つ並べて配置された構成としたが、２以上であればパネルの数を変更しても良い。
【符号の説明】
【００２６】
１０  空気調和装置
１１  室外ユニット
１２  筐体
１３  底板（ベース板）
１４  支柱
１４Ａ  板受部
１８  室外熱交換器
１９  前面パネル
１９Ａ  上段前面パネル（前面パネル）
１９Ａ１  側縁部
１９Ａ２  下縁部
１９Ｂ  中段前面パネル（前面パネル）
１９Ｂ１  両側縁部
１９Ｂ２  上縁部
１９Ｂ３  下縁部
１９Ｃ  下段前面パネル（前面パネル）
１９Ｃ１  上縁部
１００  梱包装置
１０１  パレット
１０２  箱型外装体
１０３  バンド
１０４  第２テープ状部材（テープ状部材）
１０５  第１テープ状部材（テープ状部材）
１０５Ａ  両端部
【図１】
2014234177.tif 000003
【図２】
2014234177.tif 000004
【図３】
2014234177.tif 000005
【図４】
2014234177.tif 000006
【図５】
2014234177.tif 000007